(57)【要約】【課題】この考案は、暖炉等における熱効率を向上させることを目的としたものである。【解決手段】この考案は、燃焼室の上部へ熱交換筒を連設し、該熱交換筒へ煙突の下部を連結すると共に、前記熱交換筒は閉鎖熱交換室内に直立設置され、該熱交換室の上部及び下部に夫々通気孔を設けたことを特徴とする暖房装置により、目的を達成した。【選択図】図１
0003124108.tif 000002
【実用新案登録請求の範囲】
【請求項１】
燃焼室の上部へ熱交換筒を連設し、該熱交換筒へ煙突の下部を連結すると共に、前記熱交換筒は閉鎖熱交換室内に直立設置され、該熱交換室の上部及び下部に夫々通気孔を設けたことを特徴とする暖房装置。
【請求項２】
燃焼室の上部へ熱交換器の下部を連設し、熱交換器の上部へ煙突の下部を連結すると共に、前記熱交換器は、閉鎖熱交換室内に設置され、該熱交換室の上部及び下部に対流用の通気孔を夫々設けたことを特徴とする暖房装置。
【請求項３】
燃焼室の上部側壁は熱交換壁としたことを特徴とする請求項１記載の暖房装置。
【請求項４】
煙突の下部と、熱交換筒とは、連結筒で連結したことを特徴とする請求項１記載の暖房装置。
【考案の詳細な説明】
【技術分野】
【０００１】
この考案は主として埋込型式の暖炉（マントルピースなど）に属するもので、燃焼気体と熱交換した空気を室内に吹き出して暖房することを目的とした暖房装置に関する。
【背景技術】
【０００２】
従来知られている埋込型式の暖炉は、主として燃焼部からの輻射熱及び燃焼部に近接した部分の加熱による温度上昇を目途としており、燃焼排気からの熱交換は考えていない。また燃焼気体がそのまま室内へ出ると、空気を汚染するので、間接熱交換によって、排気は外界へ排出するのが主流となっている。
【特許文献１】実開昭６２−６３６
【特許文献２】特開昭５５−３６５７２
【特許文献３】実公昭５４−３５４４
【考案の開示】
【考案が解決しようとする課題】
【０００３】
前記従来の暖房装置（又は暖炉）は、燃焼室における発熱（輻射熱）を捕えてこれを有効利用しようとするもので、排煙の熱量を有効利用する点で不十分であった。
【０００４】
従来教室などの中央部に石炭又は薪ストーブを設置し、その煙突は、部屋の中を横切って外部に導く形式のものがあったが、熱交換が直接的であり、対流による合理的暖房ではないのみならず、外観も良くないとされて、現在では殆んど使用されていない。
【０００５】
そこで近来は暖房形式の部屋の中で暖炉を設置すべき場所に、電気又はガスストーブを設置する方式が採用されているが、暖炉の外観からすれば、景観を害するおそれがあり、かつ熱効率が悪くなるおそれがあった。
【０００６】
そこで景観を重視すれば、熱効率の低下は免れない問題点があった。また通常の暖房器を暖炉用空間に収めた場合には、熱交換効率が悪くなる問題点があった。
【課題を解決するための手段】
【０００７】
この考案は、通常の暖炉の上部に熱交換室を設け、この熱交換室内に煙筒を挿通することにより、前記従来の問題点を解決したのである。
【０００８】
また熱交換室の上下部に通気孔を設けることにより、対流の促進と整理を行ない、効率のよい熱交換で生じた空気を、整然と対流させることにより、室内空気を合理的に、効率よく加温し、暖房の目的を達成した。
【０００９】
即ちこの考案は、燃焼室の上部へ熱交換筒を連設し、該熱交換筒へ煙突の下部を連結すると共に、前記熱交換筒は閉鎖熱交換室内に直立設置され、該熱交換室の上部及び下部に夫々通気孔を設けたことを特徴とする暖房装置であり、燃焼室の上部へ熱交換器の下部を連設し、熱交換器の上部へ煙突の下部を連結すると共に、前記熱交換器は、閉鎖熱交換室内に設置され、該熱交換室の上部及び下部に対流用の通気孔を夫々設けたことを特徴とする暖房装置である。また、燃焼室の上部側壁は熱交換壁としたものであり、煙突の下部と、熱交換筒とは、連結筒で連結したものである。
【００１０】
この考案は前記したように、燃焼室で生じた燃焼煙は、熱交換室において有効に熱交換するのみならず、下の通気孔から入った空気は熱交換室で加温されて上昇し、上の通気孔から、室内へ出て拡散し、再び下の通気孔から入ることになるので、室内空気の対流が整然としており、燃焼により生じた熱が無駄なく室内空気の加温に用いられる。
【００１１】
前記請求項２記載の熱交換器は、単一の円形筒に限定されることなく、複数の分岐管に分散配置することを妨げない。
【００１２】
また熱交換筒又は熱交換器の分岐管などは、銅管その他伝熱効率のよい金属管を使用することができる。
【考案の効果】
【００１３】
この考案によれば、燃焼室で生じた排煙と熱交換室内の空気とが熱交換するので、廃棄熱量を可及的に少なくできる効果がある。また熱交換室の上下に通気孔を設けたので、低温空気は、下部通気孔から流入し、加温されて上部通気孔から室内へ拡散するので、空気の流動が円滑に行なわれ、熱交換に際し熱損失が少なくなり、熱効率を向上する効果がある。
【００１４】
また熱交換室は、前壁で覆われているので、外観を損するおそれはないなどの効果もある。
【考案を実施するための最良の形態】
【００１５】
この考案は、燃焼室の上部中央へ熱交換筒の下端部を連結し、前記熱交換筒の上部へ煙突の下部を連結して、前記熱交換筒を熱交換室へ収容し、前記熱交換室の上部と下部へ通気孔を設けて、この考案の暖房装置を完成した。
【実施例１】
【００１６】
この考案の実施例を図１、２に基づいて説明すると、燃焼器１の上部中央部へ伝熱性のよい材質（例えば銅、鉄、アルミニューム）よりなる熱交換筒２の下部を連結し、熱交換筒２の上部へ連結筒３の一端を連結し、連結筒３は建物の外壁４を貫通させて、煙突５の下端に連結する。前記連結筒３も熱交換する。
【００１７】
前記熱交換筒２は、前記燃焼器１の上部に設けた熱交換室６内へ直立設置されている。
【００１８】
前記熱交換室６は、前壁７、後壁７ａ、側壁８と、外壁４で囲まれた閉鎖空間になっており、上部通気孔９、９と、下部通気孔１１（通気間隙）とにより室内と連通しており、全体としてこの考案の暖房装置１０を構成している。
【００１９】
前記実施例において、燃焼器１で燃焼（薪、炭、ガスなどの燃焼）すると、その排煙は、矢示１２、１３、１４のように熱交換筒２、連結筒３及び煙突５を経て矢示１５のように外界へ放出される（図２）。また室内空気は、カウンター１６の下部の通気孔１１から矢示１７のように入り、熱交換筒２により加温され乍ら矢示１８のように上昇し、上部通気孔９を経て矢示１９のように室内へ放出される（図３）。
【００２０】
一方燃焼器１前面から入った空気は、一部燃焼に使用されて排煙と共に上昇するが、他部は、燃焼器１の外枠１ｂと、燃焼室１ａとの間を矢示３６、３７のように通過し、加温され乍ら上昇して、前記下部通気孔１１から入った空気と合流して上昇する（図４）。図２中２０は連結筒３と、外壁との間に介装した断熱材、２１は熱交換筒３と、燃焼器１の排気筒２２とを連結するアダプター、２３は煙突支持具である。
【００２１】
前記実施例において、燃焼器１は、燃料、燃焼方式、形状、構造において一切関係なく、燃焼煙が上方へ上昇する型式ならば、総て採用することができる。従って燃料は、薪、石炭、灯油、ガスなど何れも採用することができる。燃焼器１はその型式上、直接暖房と間接暖房があるが、その何れであっても、熱交換室６を経て間接暖房となり、室内へ燃焼煙の一部が流入するおそれはない。
【００２２】
前記実施例において、燃焼器１については限定されないので、各種型式の燃焼器を採用することができる。
【００２３】
通常使用されている燃焼器は、燃焼室と、熱交換壁とは異なり、燃焼器の外囲と、燃焼室との間の空隙については、積極的に熱交換の対象にしていない場合が多い。
【００２４】
この考案の図４に示す燃焼器１は次のような構造をとって熱交換している。
【００２５】
燃焼器１の燃焼室の外壁１ａと、燃焼器１の外囲壁１ｂ（通常手を触れても火傷を生じない）との間に空気を矢示３６、３７のように流動させ、燃焼室の外壁１ａと積極的に熱交換させようとするものである。これにより燃焼への影響はなく、熱効率は向上される。
【実施例２】
【００２６】
この考案における他の実施例を図５について説明すると、図２の熱交換筒２及び連結筒３の一方又は両方を多管式の熱交換器２４、２５としたものである。前記熱交換器２４、２５は燃焼器１の排気筒２２端と、連結筒３端とに集煙筒２６、２７を連結し、前記排気筒２２の上方と、連結筒３の側方の交叉位置へ集煙筒２８を設け、前記集煙筒２６、２８間及び２７、２８間を夫々複数の煙管２９、３０で連結して構成する。
【００２７】
前記において、下部通気孔から流入した空気は、図５中矢示３１、３２、３３、３４、３５のように流動し、熱交換されて、矢示３８のように上部空気孔から室内へ流入される。
【００２８】
前記実施例は熱交換器の一例であって、この構造に限定されるものではない。
【図面の簡単な説明】
【００２９】
【図１】この考案の実施例の一部を省略した正面図。
【図２】同じく一部を省略した断面図。
【図３】同じく前壁と熱交換筒との関係を示す実施例の一部を省略した断面図。
【図４】同じく燃焼器の熱交換壁の一例を示す一部拡大図。
【図５】同じく熱交換器の実施例の一部断面拡大図。
【符号の説明】
【００３０】
１  燃焼器
２  熱交換筒
３  連結筒
４  外壁
５  煙突
６  熱交換室
７  前壁
８  側壁
９  上部通気孔
１０  暖房装置
１１  下部通気孔
２０  断熱材
２２  排気筒
２４、２５  熱交換器
【図１】
0003124108.tif 000003
【図２】
0003124108.tif 000004
【図３】
0003124108.tif 000005
【図４】
0003124108.tif 000006
【図５】
0003124108.tif 000007